(57)【特許請求の範囲】
【請求項１】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制回路であって、
前記線路における前記コモンモードノイズを抽出する雑音抽出手段と、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき生成し、該雑音信号を前記線路に加える雑音印加手段と
を有してなり、
前記雑音抽出手段および前記雑音印加手段は、平衡回路でなり、
前記雑音印加手段は、前記入力ラインに設けられた第１のコモンモードチョークコイルでなり、
前記第１のコモンモードチョークコイルは、前記入力ラインにそれぞれ直列に挿入され、共通の磁心にそれぞれ巻かれた複数のライン直列巻線と、該ライン直列巻線と同じく前記共通の磁心に巻かれ、片端が前記雑音信号の入力端であり、他端が接地されている別巻線とを有してなり、
前記雑音抽出手段は、
前記第１のコモンモードチョークコイルと前記負荷回路との間の前記入力ラインの線路間に直列に接続された同容量の複数のコンデンサでなり、これらコンデンサの接続点である中点を第１の出力端子とする第１のラインバイパスコンデンサと、
前記出力ラインの線路間に直列に接続された同容量の複数のコンデンサでなり、これらコンデンサの接続点である中点を第２の出力端子とする第２のラインバイパスコンデンサと、
前記第１および第２の出力端子に２つの入力端子がそれぞれ接続され、出力端子が前記別巻線の前記片端に接続された差動増幅器と
を有する、
ことを特徴とする雑音抑制回路。
【請求項２】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制回路であって、
前記線路における前記コモンモードノイズを抽出する雑音抽出手段と、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき生成し、該雑音信号を前記線路に加える雑音印加手段と
を有してなり、
前記雑音抽出手段および前記雑音印加手段は、平衡回路でなり、
前記雑音印加手段は、前記入力ラインに設けられた第１のコモンモードチョークコイルでなり、
前記第１のコモンモードチョークコイルは、前記入力ラインにそれぞれ直列に挿入され、共通の磁心にそれぞれ巻かれた複数のライン直列巻線と、該ライン直列巻線と同じく前記共通の磁心に巻かれ、片端が前記雑音信号の入力端であり、他端が接地されている別巻線とを有してなり、
前記雑音抽出手段は、第２のコモンモードチョークコイルと差動増幅器とを有してなり、
前記第２のコモンモードチョークコイルは、前記第１のコモンモードチョークコイルと前記負荷回路との間の前記入力ラインにそれぞれ直列に挿入され、共通の磁心にそれぞれ巻かれた複数のライン直列巻線と、該ライン直列巻線と同じく前記共通の磁心に巻かれ、２つの端子が前記差動増幅器の２つの入力端子にそれぞれ接続されている別巻線とを有してなり、
前記差動増幅器の出力端子が、前記第１のコモンモードチョークコイルにおける前記別巻線の前記片端に接続されている、
ことを特徴とする雑音抑制回路。
【請求項３】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制回路であって、
前記線路における前記コモンモードノイズを抽出する雑音抽出手段と、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき生成し、該雑音信号を前記線路に加える雑音印加手段と
を有してなり、
前記雑音抽出手段および前記雑音印加手段は、平衡回路でなり、
前記雑音印加手段は、前記入力ラインに設けられた第１のコモンモードチョークコイルでなり、
前記第１のコモンモードチョークコイルは、前記入力ラインにそれぞれ直列に挿入され、共通の磁心にそれぞれ巻かれた複数のライン直列巻線と、該ライン直列巻線と同じく前記共通の磁心に巻かれ、片端が前記雑音信号の入力端であり、他端が接地されている別巻線とを有してなり、
前記雑音抽出手段は、差動増幅器と、前記第１のコモンモードチョークコイルと前記負荷回路との間の前記入力ラインに順次に設けられた第３のラインバイパスコンデンサと、第３のコモンモードチョークコイルと、第４のラインバイパスコンデンサとを有してなり、
前記第３のラインバイパスコンデンサは、前記入力ラインの線路間に直列に接続された同容量の複数のコンデンサでなり、これらコンデンサの接続点である中点を第３の出力端子とし、
前記第４のラインバイパスコンデンサは、前記入力ラインの線路間に直列に接続された同容量の複数のコンデンサでなり、これらコンデンサの接続点である中点を第４の出力端子とし、
前記第３のコモンモードチョークコイルは、前記第３および第４のラインバイパスコンデンサ間の入力ラインにそれぞれ直列に挿入され、共通の磁心にそれぞれ巻かれた複数のライン直列巻線でなり、
前記差動増幅器は、前記第３および第４の出力端子に２つの入力端子がそれぞれ接続され、出力端子が前記第１のコモンモードチョークコイルにおける前記別巻線の前記片端に接続されている、
ことを特徴とする雑音抑制回路。
【請求項４】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制回路であって、
前記線路における前記コモンモードノイズを抽出する雑音抽出手段と、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき生成し、該雑音信号を前記線路に加える雑音印加手段と
を有してなり、
前記雑音印加手段は、前記入力ラインの線路間に直列に接続された同容量の複数のコンデンサでなり、これらコンデンサの接続点である中点を前記雑音信号の入力端とする第５のラインバイパスコンデンサでなり、
前記雑音抽出手段は、
前記第５のラインバイパスコンデンサの出力側に設けられ、該第５のラインバイパスコンデンサの出力側の前記入力ラインにそれぞれ直列に挿入され、共通の磁心にそれぞれ巻かれた複数のライン直列巻線でなる第４のコモンモードチョークコイルと、
前記第４のコモンモードチョークコイルと前記負荷回路との間の前記入力ラインの線路間に直列に接続された同容量の複数のコンデンサでなり、これらコンデンサの接続点である中点を第６の出力端子とする第６のラインバイパスコンデンサと、
前記出力ラインの線路間に直列に接続された同容量の複数のコンデンサでなり、これらコンデンサの接続点である中点を第７の出力端子とする第７のラインバイパスコンデンサと、
前記第６および第７の出力端子に２つの入力端子がそれぞれ接続され、出力端子が前記雑音信号の入力端に接続されている差動増幅器と
を有してなる、
ことを特徴とする雑音抑制回路。
【請求項５】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制回路であって、
前記線路における前記コモンモードノイズを抽出する雑音抽出手段と、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき生成し、該雑音信号を前記線路に加える雑音印加手段と
を有してなり、
前記雑音印加手段は、前記入力ラインの線路間に直列に接続された同容量の複数のコンデンサでなり、これらコンデンサの接続点である中点を前記雑音信号の入力端とする第５のラインバイパスコンデンサでなり、
前記雑音抽出手段は、差動増幅器と、前記第５のラインバイパスコンデンサと前記負荷回路との間の前記入力ラインに順に設けられた第５および第６のコモンモードチョークコイルとを有してなり、
前記第５のコモンモードチョークコイルは、前記第５のラインバイパスコンデンサの出力側の前記入力ラインにそれぞれ直列に挿入され、共通の磁心にそれぞれ巻かれた複数のライン直列巻線を有してなり、
前記第６のコモンモードチョークコイルは、前記第５のコモンモードチョークコイルと前記負荷回路との間の前記入力ラインにそれぞれ直列に挿入され、共通の磁心にそれぞれ巻かれた複数のライン直列巻線と、該ライン直列巻線と同じく前記共通の磁心に巻かれ、２つの端子が前記差動増幅器の２つの入力端子にそれぞれ接続されている別巻線とを有してなり、
前記差動増幅器の出力端子が、第５のラインバイパスコンデンサにおける前記雑音信号の入力端に接続されている、
ことを特徴とする雑音抑制回路。
【請求項６】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制回路であって、
前記線路における前記コモンモードノイズを抽出する雑音抽出手段と、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき生成し、該雑音信号を前記線路に加える雑音印加手段と
を有してなり、
前記雑音印加手段は、前記入力ラインの線路間に直列に接続された同容量の複数のコンデンサでなり、これらコンデンサの接続点である中点を前記雑音信号の入力端とする第５のラインバイパスコンデンサでなり、
前記雑音抽出手段は、差動増幅器と、前記第５のラインバイパスコンデンサと前記負荷回路との間の前記入力ラインに順に設けられた第７のコモンモードチョークコイルと、第８のラインバイパスコンデンサと、第８のコモンモードチョークコイルと、第９のラインバイパスコンデンサとを有してなり、
前記第７のコモンモードチョークコイルは、前記第５のラインバイパスコンデンサと前記第８のラインバイパスコンデンサとの間の前記入力ラインにそれぞれ直列に挿入され、共通の磁心にそれぞれ巻かれた複数のライン直列巻線を有してなり、
前記第８のラインバイパスコンデンサは、前記第７のコモンモードチョークコイルと前記第８のコモンモードチョークコイルとの間の前記入力ラインの線路間に直列に接続された同容量の複数のコンデンサでなり、これらコンデンサの接続点である中点を第８の出力端子とし、
前記第８のコモンモードチョークコイルは、前記第８のラインバイパスコンデンサと前記第９のラインバイパスコンデンサとの間の前記入力ラインにそれぞれ直列に挿入され、共通の磁心にそれぞれ巻かれた複数のライン直列巻線を有してなり、
前記第９のラインバイパスコンデンサは、前記第８のコモンモードチョークコイルと前記負荷回路との間の前記入力ラインの線路間に直列に接続された同容量の複数のコンデンサでなり、これらコンデンサの接続点である中点を第９の出力端子とし、
前記差動増幅器は、前記第８および第９の出力端子に２つの入力端子がそれぞれ接続され、出力端子が前記雑音信号の入力端に接続されている、
ことを特徴とする雑音抑制回路。
【請求項７】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制方法であって、
前記線路における前記コモンモードノイズを平衡回路でなる雑音抽出手段で抽出し、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき平衡回路でなる雑音印加手段で生成し、該雑音信号を前記線路に加え、
前記雑音印加手段は、前記入力ラインに設けられた第１のコモンモードチョークコイルでなり、
前記第１のコモンモードチョークコイルは、前記入力ラインにそれぞれ直列に挿入され、共通の磁心にそれぞれ巻かれた複数のライン直列巻線と、該ライン直列巻線と同じく前記共通の磁心に巻かれ、片端が前記雑音信号の入力端であり、他端が接地されている別巻線とを有してなり、
前記雑音抽出手段は、
前記第１のコモンモードチョークコイルと前記負荷回路との間の前記入力ラインの線路間に直列に接続された同容量の複数のコンデンサでなり、これらコンデンサの接続点である中点を第１の出力端子とする第１のラインバイパスコンデンサと、
前記出力ラインの線路間に直列に接続された同容量の複数のコンデンサでなり、これらコンデンサの接続点である中点を第２の出力端子とする第２のラインバイパスコンデンサと、
前記第１および第２の出力端子に２つの入力端子がそれぞれ接続され、出力端子が前記別巻線の前記片端に接続された差動増幅器と
を有する、
ことを特徴とする雑音抑制方法。
【請求項８】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制方法であって、
前記線路における前記コモンモードノイズを平衡回路でなる雑音抽出手段で抽出し、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき平衡回路でなる雑音印加手段で生成し、該雑音信号を前記線路に加え、
前記雑音印加手段は、前記入力ラインに設けられた第１のコモンモードチョークコイルでなり、
前記第１のコモンモードチョークコイルは、前記入力ラインにそれぞれ直列に挿入され、共通の磁心にそれぞれ巻かれた複数のライン直列巻線と、該ライン直列巻線と同じく前記共通の磁心に巻かれ、片端が前記雑音信号の入力端であり、他端が接地されている別巻線とを有してなり、
前記雑音抽出手段は、第２のコモンモードチョークコイルと差動増幅器とを有してなり、
前記第２のコモンモードチョークコイルは、前記第１のコモンモードチョークコイルと前記負荷回路との間の前記入力ラインにそれぞれ直列に挿入され、共通の磁心にそれぞれ巻かれた複数のライン直列巻線と、該ライン直列巻線と同じく前記共通の磁心に巻かれ、２つの端子が前記差動増幅器の２つの入力端子にそれぞれ接続されている別巻線とを有してなり、
前記差動増幅器の出力端子が、前記第１のコモンモードチョークコイルにおける前記別巻線の前記片端に接続されている、
ことを特徴とする雑音抑制方法。
【請求項９】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制方法であって、
前記線路における前記コモンモードノイズを平衡回路でなる雑音抽出手段で抽出し、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき平衡回路でなる雑音印加手段で生成し、該雑音信号を前記線路に加え、
前記雑音印加手段は、前記入力ラインに設けられた第１のコモンモードチョークコイルでなり、
前記第１のコモンモードチョークコイルは、前記入力ラインにそれぞれ直列に挿入され、共通の磁心にそれぞれ巻かれた複数のライン直列巻線と、該ライン直列巻線と同じく前記共通の磁心に巻かれ、片端が前記雑音信号の入力端であり、他端が接地されている別巻線とを有してなり、
前記雑音抽出手段は、差動増幅器と、前記第１のコモンモードチョークコイルと前記負荷回路との間の前記入力ラインに順次に設けられた第３のラインバイパスコンデンサと、第３のコモンモードチョークコイルと、第４のラインバイパスコンデンサとを有してなり、
前記第３のラインバイパスコンデンサは、前記入力ラインの線路間に直列に接続された同容量の複数のコンデンサでなり、これらコンデンサの接続点である中点を第３の出力端子とし、
前記第４のラインバイパスコンデンサは、前記入力ラインの線路間に直列に接続された同容量の複数のコンデンサでなり、これらコンデンサの接続点である中点を第４の出力端子とし、
前記第３のコモンモードチョークコイルは、前記第３および第４のラインバイパスコンデンサ間の入力ラインにそれぞれ直列に挿入され、共通の磁心にそれぞれ巻かれた複数のライン直列巻線でなり、
前記差動増幅器は、前記第３および第４の出力端子に２つの入力端子がそれぞれ接続され、出力端子が前記第１のコモンモードチョークコイルにおける前記別巻線の前記片端に接続されている、
ことを特徴とする雑音抑制方法。
【請求項１０】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制方法であって、
前記線路における前記コモンモードノイズを平衡回路でなる雑音抽出手段で抽出し、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき平衡回路でなる雑音印加手段で生成し、該雑音信号を前記線路に加え、
前記雑音印加手段は、前記入力ラインの線路間に直列に接続された同容量の複数のコンデンサでなり、これらコンデンサの接続点である中点を前記雑音信号の入力端とする第５のラインバイパスコンデンサでなり、
前記雑音抽出手段は、
前記第５のラインバイパスコンデンサの出力側に設けられ、該第５のラインバイパスコンデンサの出力側の前記入力ラインにそれぞれ直列に挿入され、共通の磁心にそれぞれ巻かれた複数のライン直列巻線でなる第４のコモンモードチョークコイルと、
前記第４のコモンモードチョークコイルと前記負荷回路との間の前記入力ラインの線路間に直列に接続された同容量の複数のコンデンサでなり、これらコンデンサの接続点である中点を第６の出力端子とする第６のラインバイパスコンデンサと、
前記出力ラインの線路間に直列に接続された同容量の複数のコンデンサでなり、これらコンデンサの接続点である中点を第７の出力端子とする第７のラインバイパスコンデンサと、
前記第６および第７の出力端子に２つの入力端子がそれぞれ接続され、出力端子が前記雑音信号の入力端に接続されている差動増幅器と
を有してなる、
ことを特徴とする雑音抑制方法。
【請求項１１】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制方法であって、
前記線路における前記コモンモードノイズを平衡回路でなる雑音抽出手段で抽出し、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき平衡回路でなる雑音印加手段で生成し、該雑音信号を前記線路に加え、
前記雑音印加手段は、前記入力ラインの線路間に直列に接続された同容量の複数のコンデンサでなり、これらコンデンサの接続点である中点を前記雑音信号の入力端とする第５のラインバイパスコンデンサでなり、
前記雑音抽出手段は、差動増幅器と、前記第５のラインバイパスコンデンサと前記負荷回路との間の前記入力ラインに順に設けられた第５および第６のコモンモードチョークコイルとを有してなり、
前記第５のコモンモードチョークコイルは、前記第５のラインバイパスコンデンサの出力側の前記入力ラインにそれぞれ直列に挿入され、共通の磁心にそれぞれ巻かれた複数のライン直列巻線を有してなり、
前記第６のコモンモードチョークコイルは、前記第５のコモンモードチョークコイルと前記負荷回路との間の前記入力ラインにそれぞれ直列に挿入され、共通の磁心にそれぞれ巻かれた複数のライン直列巻線と、該ライン直列巻線と同じく前記共通の磁心に巻かれ、２つの端子が前記差動増幅器の２つの入力端子にそれぞれ接続されている別巻線とを有してなり、
前記差動増幅器の出力端子が、第５のラインバイパスコンデンサにおける前記雑音信号の入力端に接続されている、
ことを特徴とする雑音抑制方法。
【請求項１２】
互いに平衡した２線式または３線式の線路である入力ラインおよび出力ラインの間に設けてある負荷回路で生じるコモンモードノイズが前記入力ラインまたは前記出力ラインから外部に出力されるのを抑制する雑音抑制方法であって、
前記線路における前記コモンモードノイズを平衡回路でなる雑音抽出手段で抽出し、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき平衡回路でなる雑音印加手段で生成し、該雑音信号を前記線路に加え、
前記雑音印加手段は、前記入力ラインの線路間に直列に接続された同容量の複数のコンデンサでなり、これらコンデンサの接続点である中点を前記雑音信号の入力端とする第５のラインバイパスコンデンサでなり、
前記雑音抽出手段は、差動増幅器と、前記第５のラインバイパスコンデンサと前記負荷回路との間の前記入力ラインに順に設けられた第７のコモンモードチョークコイルと、第８のラインバイパスコンデンサと、第８のコモンモードチョークコイルと、第９のラインバイパスコンデンサとを有してなり、
前記第７のコモンモードチョークコイルは、前記第５のラインバイパスコンデンサと前記第８のラインバイパスコンデンサとの間の前記入力ラインにそれぞれ直列に挿入され、共通の磁心にそれぞれ巻かれた複数のライン直列巻線を有してなり、
前記第８のラインバイパスコンデンサは、前記第７のコモンモードチョークコイルと前記第８のコモンモードチョークコイルとの間の前記入力ラインの線路間に直列に接続された同容量の複数のコンデンサでなり、これらコンデンサの接続点である中点を第８の出力端子とし、
前記第８のコモンモードチョークコイルは、前記第８のラインバイパスコンデンサと前記第９のラインバイパスコンデンサとの間の前記入力ラインにそれぞれ直列に挿入され、共通の磁心にそれぞれ巻かれた複数のライン直列巻線を有してなり、
前記第９のラインバイパスコンデンサは、前記第８のコモンモードチョークコイルと前記負荷回路との間の前記入力ラインの線路間に直列に接続された同容量の複数のコンデンサでなり、これらコンデンサの接続点である中点を第９の出力端子とし、
前記差動増幅器は、前記第８および第９の出力端子に２つの入力端子がそれぞれ接続され、出力端子が前記雑音信号の入力端に接続されている、
ことを特徴とする雑音抑制方法。
【発明の詳細な説明】
【技術分野】
【０００１】
本発明は、負荷回路等の電子装置から発生するコモンモードノイズを抑制する雑音抑制回路および雑音抑制方法に関する。
【背景技術】
【０００２】
負荷回路などの電子装置（例えば、安定化電源装置）では、一般的にコモンモードノイズと呼ばれる雑音が発生する。このコモンモードノイズをゼロにすることは、容易でない。電子装置で発生したコモンモードノイズがその電子装置の入力線路や出力線路に漏れると、漏れたコモンモードノイズは、それら入力線路や出力線路に接続されている他の電子装置に入力される。更に、それら入力線路や出力線路に漏れたコモンモードノイズは、それら入力線路や出力線路からコモンモード放射と称される雑音信号として放射される。コモンモード放射は、コモンモードノイズのレベルが高くなくても、周囲の他の回路に雑音として入力されることが多い。ＥＭＩ（electromagnetic interference，放射電磁雑音）特性を向上するためには、電子装置の入力線路や出力線路に漏れるコモンモードノイズを低減し、コモンモード放射を抑制することが必要である。
【０００３】
電子装置で発生したコモンモードノイズがその電子装置の入力線路や出力回路に漏れることを抑制する手段としては、コモンモードチョークコイル及びラインバイパスコンデンサが用いられる（ラインバイパスコンデンサは、Ｙコンデンサ、Ｙコン又はＹキャパシタとも通称される。）。
【０００４】
コモンモードチョークコイルは、共通の磁心に、互いに同じ方向に巻かれた第１および第２の巻線を有してなる。このコモンモードチョークコイルが電子装置の入力線路または出力線路に設けられたとき、ノーマルモード信号（通常の有用な信号）によりコモンモードチョークコイルの第１および第２の巻線で発生する磁束は、共通の磁心で互いに打ち消し合う。そこで、コモンモードチョークコイルは、ノーマルモード信号に対しては非常に低いインピーダンスを示す。したがって、ノーマルモード信号がコモンモードチョークコイルで受ける影響は小さい。他方、その同じコモンモードチョークコイルの第１および第２の巻線にコモンモードノイズが入力されると、第１および第２の巻線による磁束がその共通の磁心において同じ方向に発生する。そこで、コモンモードチョークコイルは、コモンモードノイズに対しては非常に高いインピーダンスを示し、コモンモードノイズが電子装置の入力線路や出力線路に漏れるのを抑制する。
【０００５】
ラインバイパスコンデンサは、互いに直列に接続された同じ静電容量の第１及び第２のコンデンサでなり、両者の接続点（中点）が接地（グランド）に接続される。ラインバイパスコンデンサは、電子装置の入力線路または出力線路に設けられ、入力線路または出力線路と接地との間におけるコモンモードノイズに対するインピーダンスを低減し、コモンモードノイズを接地に逃がす（バイパスする）ことにより、コモンモードノイズが電子装置の入力線路や出力線路に漏れるのを抑制する。
【０００６】
コモンモードノイズが電子装置の入力線路や出力線路に漏れるのを抑制する度合、即ちコモンモードノイズ抑制効果は、１つのコモンモードチョークコイル又は１つのラインバイパスコンデンサでは不足することが多い。そこで、コモンモードチョークコイルを多段に設けることによりコモンモードノイズの抑制効果を高めることが行われている。
【０００７】
コモンモードチョークコイルを電子装置の入力線路または出力線路に多段に設けると、回路が複雑になり、製造費の増大を招き、また回路の外形寸法の抑制を困難にする。そこで、コモンモードチョークコイルを多段に設けることなく、コモンモードノイズの抑制効果を高める手段が求められる。このようなコモンモードノイズ抑制手段としてのＡＣラインフィルタが特許文献１（特開平１０−３０３６７４号公報）に開示されている。
【０００８】
特許文献１の明細書では、図１及び図２を参照して、構成および動作の説明が段落００１１−００２２に記載されている。特許文献１のコモンモードノイズ抑制手段では、コモンモードチョークコイル（２）を、共通の磁心に巻かれた第１の巻線（２ａ）および第２の巻線（２ｂ）、並びに第３の巻線（２ｃ）で構成し、第２の巻線（２ｂ）の出力端にＨＰＦ（High Pass Filter）（３）をノイズ抽出回路として設け、ＨＰＦ（３）で抽出したコモンモードノイズをノイズ増幅回路（４）で増幅し、ノイズ増幅回路（４）の出力を電流供給回路（５）に加え、電流供給回路（５）で以って第３の巻線（２ｃ）に電流（Ｉｃ）を流す。第３の巻線（２ｃ）に流れる電流（Ｉｃ）は、第１の巻線（２ａ）および第２の巻線（２ｂ）に逆相の誘導起電力を誘起する。第１の巻線（２ａ）および第２の巻線（２ｂ）は、入力線路のliveライン（１Ｌ）およびneutralライン（１Ｎ）にそれぞれ直列に挿入されているので、これら入力線路におけるコモンモードノイズは、電流（Ｉｃ）による逆相の誘導起電力により抑制されると、説明されている。
【先行技術文献】
【特許文献】
【０００９】
【特許文献１】特開平１０−３０３６７４号公報
【発明の開示】
【発明が解決しようとする課題】
【００１０】
以上のように、特許文献１に開示された従来のコモンモードノイズ抑制手段では、ノイズ抽出回路として設けられたＨＰＦ（３）は、liveライン（１Ｌ）およびneutralライン（１Ｎ）という２つの入力線路のうちの一方のneutralライン（１Ｎ）とフレームグランドＦＧとの間に接続されている。そして、neutralライン（１Ｎ）とフレームグランドＦＧとの間にＨＰＦ（３）を接続することにより、ＡＣ電圧の影響を受けずにコモンモードノイズを抽出することができるとしている（明細書の段落００１７および図２）。
【００１１】
上述のように、特許文献１における図２のＡＣラインフィルタ（１０，コモンモードノイズ抑制手段）では、ノイズ抽出回路としてのＨＰＦ（３）が、２つの入力線路のうちの一方（neutralライン（１Ｎ））とフレームグランドＦＧとの間からコモンモードノイズを抽出する。ところが、この特許文献１における図２のＡＣラインフィルタの構成では、ノイズ抽出回路は、２つの入力線路のうちの一方（neutralライン（１Ｎ））だけから雑音を入力するので、コモンモードノイズだけではなく、ノーマルモードノイズをも抽出してしまう。このノイズ抽出回路で抽出されるノーマルモードノイズのレベルは、２つの入力線路Liveライン（１）とneutralライン（１Ｎ）との間のノーマルモードノイズに対し、２分の１である。
【００１２】
そこで、特許文献１における図２のＡＣラインフィルタ（コモンモードノイズ抑制手段）は、ノーマルモードノイズ成分の２分の１だけ誤差を含んだ雑音電流をコモンモードチョークコイル（２）の第３巻線（２ｃ）に流し、この雑音電流により第１の巻線（２ａ）および第２の巻線（２ｂ）に逆相の誘導起電力を誘起させるので、ライン（１Ｌ，１Ｎ）上のコモンモードノイズを十分なレベルに抑制するのが困難である。
（本発明の目的）
【００１３】
本発明は、かかる事情に鑑みてなされたものであり、線路上のコモンモードノイズを十分なレベルにまで抑制するのが容易な雑音抑制回路および雑音抑制方法の提供を目的としている。
【課題を解決するための手段】
【００１４】
前述の課題を解決するため、本発明による雑音抑制回路および雑音抑制方法は、主に、次のような特徴的な構成を採用している。
【００１５】
（１）本発明による雑音抑制回路は、互いに平衡した２線式または３線式の線路におけるコモンモードノイズを抑制する雑音抑制回路であって、
前記線路における前記コモンモードノイズを抽出する雑音抽出手段と、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき生成し、該雑音信号を前記線路に加える雑音印加手段と
を有してなり、
前記雑音抽出手段および前記雑音印加手段は、平衡回路でなる
ことを特徴とする。
（２）本発明による雑音抑制方法は、互いに平衡した２線式または３線式の線路におけるコモンモードノイズを抑制する雑音抑制方法であって、
前記線路における前記コモンモードノイズを平衡回路でなる雑音抽出手段で抽出し、
前記雑音抽出手段で抽出したコモンモードノイズとは逆相であり、該雑音抽出手段で抽出したコモンモードノイズとレベルを同じくする雑音信号を、該雑音抽出手段で抽出したコモンモードノイズに基づき平衡回路でなる雑音印加手段で生成し、該雑音信号を前記線路に加える
ことを特徴とする。
【発明の効果】
【００１６】
本発明によれば、線路上のコモンモードノイズを十分なレベルにまで抑制するのが容易な雑音抑制回路および雑音抑制方法が提供できる。
【図面の簡単な説明】
【００１７】
【図１】本発明の第１の実施の形態である雑音抑制回路を示す回路図である。
【図２】本発明の第２の実施の形態である雑音抑制回路を示す回路図である。
【図３】本発明の第３の実施の形態である雑音抑制回路を示す回路図である。
【図４】本発明の第４の実施の形態である雑音抑制回路を示す回路図である。
【図５】本発明の第５の実施の形態である雑音抑制回路を示す回路図である。
【図６】本発明の第６の実施の形態である雑音抑制回路を示す回路図である。
【発明を実施するための形態】
【００１８】
以下、本発明による雑音抑制回路および雑音抑制方法の好適な実施形態について添付図を参照して説明する。なお、以下においては、本発明による雑音抑制方法の実施の形態は、図１乃至図６を参照して行う雑音抑制回路の実施の形態の説明に併せて、説明される。
【００１９】
（本発明の特徴）
本発明の実施形態の説明に先立って、本発明の特徴についてその概要をまず説明する。本発明になる雑音抑制回路は、互いに平衡した２線式または３線式の線路におけるコモンモードノイズを抑制する回路であって、その線路におけるコモンモードノイズを抽出する雑音抽出手段と、この雑音抽出手段で抽出したコモンモードノイズとは逆相であって、レベルを同じくする雑音信号を、該雑音抽出手段で抽出したコモンモードノイズに基づき生成し、該雑音信号を前記線路に加える雑音印加手段とを有してなり、それら雑音抽出手段および雑音印加手段は、平衡回路でなることを主要な特徴としている。この特徴により、線路上のコモンモードノイズを十分なレベルにまで抑制するのを容易にしている。
【００２０】
（実施形態の構成例）
次に、本発明による雑音抑制回路の第１乃至第６の実施形態について、図１乃至図６を参照して、順に説明する。図１は、本発明の第１の実施の形態である雑音抑制回路を示す回路図である。
【００２１】
図１の雑音抑制回路において、１はコモンモードチョークコイル、２及び４はラインバイパスコンデンサ、３は雑音源である負荷回路、５は差動増幅器、６は位相調整回路、１Ｌ及び１Ｎは入力ライン、２Ｌ及び２Ｎは出力ラインである。入力ライン１Ｌ及び１Ｎは、特許文献１におけるliveライン（１Ｌ）及びneutralライン（１Ｎ）にそれぞれ相当する。負荷回路は、例えば安定化電源装置である。負荷回路が安定化電源装置であるときの一例を挙げれば、入力ライン１Ｌ，１Ｎ間に直流の４８Ｖが供給され、安定化電源装置で電圧が安定化されるとともに、降圧され、出力ライン２Ｌ，２Ｎ間に直流の１２Ｖが出力される。入力ライン１Ｌ及び１Ｎに供給される電力や信号は、このように直流でも、或いは交流でも差し支えない。
【００２２】
コモンモードチョークコイル１は、入力ライン１Ｌに直列に挿入されたライン直列巻線１ａ、入力ライン１Ｎに直列に挿入されたライン直列巻線１ｂおよび第３巻線（前述の別巻線に相当。）１ｃ並びにこれらライン直列巻線１ａ，１ｂ及び１ｃに共通な磁心１ｄを有してなる。
【００２３】
ラインバイパスコンデンサ２は、コモンモードチョークコイル１と負荷回路３との間の入力ライン１Ｌ及び１Ｎの間に互いに直列に接続された同容量のコンデンサＣ１及びＣ２でなり、これらコンデンサＣ１及びＣ２の接続点である中点を第１の出力端子２ａとする。ラインバイパスコンデンサ４は、出力ライン２Ｌ及び２Ｎの間に互いに直列に接続された同容量のコンデンサＣ３及びＣ４でなり、これらコンデンサの接続点である中点を第２の出力端子４ａとする。
【００２４】
差動増幅器５は、第１の出力端子２ａおよび第２の出力端子４ａに２つの入力端子がそれぞれ接続されている。差動増幅器５の出力端子は、位相調整回路６を経て、コモンモードチョークコイル１の第３巻線１ｃの片端（前述の雑音信号の入力端に相当。）に接続されている。第３巻線１ｃの他端は、接地されている。
【００２５】
この図１の雑音抑制回路は、コモンモードチョークコイル１、ラインバイパスコンデンサ２及び４、差動増幅器５並びに位相調整回路６を有してなる。この雑音抑制回路は、負荷回路３で発生するコモンモードノイズが入力ライン１Ｌ及び１Ｎに漏れ出し、入力ライン１Ｌ及び１Ｎに接続されている他の電子装置にそのコモンモードノイズが影響を及ぼしたり、或いは入力ライン１Ｌ及び１Ｎに漏れ出したコモンモードノイズが、入力ライン１Ｌ及び１Ｎからコモンモード放射と称される雑音信号として放射され、入力ライン１Ｌ及び１Ｎ近傍の他の電子装置がコモンモード放射による影響を受けるのを防止するために設けてある。
【００２６】
ラインバイパスコンデンサ２，４、差動増幅器５および位相調整回路６でなる回路が前述の雑音抽出手段を構成し、コモンモードチョークコイル１が前述の雑音印加手段を構成する。コモンモードチョークコイル１及びラインバイパスコンデンサ２は、何れも入力ライン１Ｌ及び１Ｎに平衡した作用を及ぼし、ラインバイパスコンデンサ４は、出力ライン２Ｌ及び２Ｎに平衡した作用を及ぼす。差動増幅器５および位相調整回路６は、入力ライン１Ｌ，１Ｎ及び出力ライン２Ｌ，２Ｎに直接には作用を及ぼさないし、ラインバイパスコンデンサ２，４やコモンモードチョークコイル１を介して、入力ライン１Ｌ，１Ｎ及び出力ライン２Ｌ，２Ｎの平衡を損なう作用を及ぼすこともない。したがって、図１の雑音抑制回路における雑音抽出手段および雑音印加手段は、入力ライン１Ｌ及び１Ｎに関して平衡した回路、即ち平衡回路であり、同様に、出力ライン２Ｌ及び２Ｎに関しても平衡した回路（平衡回路）である。
【００２７】
入力ライン１Ｌ，１Ｎに乗っているコモンモードノイズが、ラインバイパスコンデンサ２における第１の出力端子２ａに現れ、他方、出力ライン２Ｌ，２Ｎに乗っているコモンモードノイズが、ラインバイパスコンデンサ４における第２の出力端子４ａに現れるので、出力端子２ａおよび４ａを差動増幅器５の２つの入力端子にそれぞれ接続することにより、入力ライン１Ｌ，１Ｎ及び出力ライン２Ｌ，２Ｎの平衡を乱すことなく、入力ライン１Ｌ，１Ｎに乗っているコモンモードノイズが差動増幅器５の出力に抽出される。差動増幅器５の出力のコモンモードノイズは、位相調整回路６で位相の調整を受け、コモンモードチョークコイル１の第３巻線１ｃの片端に加えられる。
【００２８】
コモンモードチョークコイル１は、互いに同じ方向に巻かれたライン直列巻線１ａおよび１ｂを有する。そこで、入力ライン１Ｌ，１Ｎに乗っているコモンモードノイズによる磁束は、コモンモードチョークコイル１において互いに重畳し、コモンモードチョークコイル１はコモンモードノイズに対し、大きなインピーダンスとして作用する。コモンモードチョークコイル１におけるこの作用により、負荷回路３側からコモンモードチョークコイル１の出力側に入力されるコモンモードノイズが、コモンモードチョークコイル１の入力側に漏れ出るのが抑制される。
【００２９】
この図１の実施の形態の雑音抑制回路では、コモンモードチョークコイル１の第３巻線１ｃに位相調整回路６の出力を加える。この構成により、ラインバイパスコンデンサ２及び４で抽出されたコモンモードノイズによりライン直列巻線１ａおよび１ｂで発生する磁束は、位相調整回路６の出力に基づき第３巻線１ｃで発生する磁束により、相殺される。即ち、第３巻線１ｃで磁心１ｄに発生させる磁束の方向は、ライン直列巻線１ａおよび１ｂにより磁心１ｄに発生させる磁束の方向とは逆方向である。そして、第３巻線１ｃで磁心１ｄに発生させる磁束により入力ライン１Ｌ，１Ｎに誘起されるコモンモードノイズのレベルと、ライン直列巻線１ａおよび１ｂで磁心１ｄに発生させる磁束により入力ライン１Ｌ，１Ｎに誘起されるコモンモードノイズのレベルとを同じにする。
【００３０】
即ち、ライン直列巻線１ａおよび１ｂには、これら両ライン直列巻線１ａ，１ｂ自身によるコモンモードノイズに基づく磁束と第３巻線１ｃによるにモンモードノイズに基づく磁束とが、同レベルの電圧を逆方向に（逆相に）、誘起し、ライン直列巻線１ａ，１ｂではコモンモードノイズが抑制される。したがって、図１の雑音抑制回路におけるコモンモードチョークコイル１の入力側の入力ライン１Ｌ，１Ｎに現れるコモンモードノイズは、単にライン直列巻線１ａおよび１ｂだけを有するコモンモードチョークコイル並びにラインバイパスコンデンサ２（中点２ａを接地）及びラインバイパスコンデンサ４（中点４ａを接地）を有する従来型の雑音抑制回路に比べ、格段に低減される。
【００３１】
このように、図１の雑音抑制回路では、コモンモードチョークコイルやラインバイパスコンデンサといったコモンモードノイズ抑制回路を多段に設けることなく、入力ライン１Ｌ，１Ｎ上のコモンモードノイズを十分なレベルにまで、簡単な回路構成で、即ち容易に、抑制することができる。
【００３２】
図１の雑音抑制回路において、第３巻線１ｃによるにコモンモードノイズに基づく磁束の位相と、ライン直列巻線１ａ，１ｂによるコモンモードノイズに基づく磁束の位相とを逆相に揃えるために、位相調整回路６を設けた。しかしながら、周波数によっては、位相調整回路６による位相の調整を要せずして、第３巻線１ｃによるにコモンモードノイズに基づく磁束の位相を、ライン直列巻線１ａ，１ｂによるコモンモードノイズに基づく磁束の位相に対し、逆相にすることができる。このときは、位相調整回路６を省略し、差動増幅器５の出力を第３巻線１ｃの片端に直接に接続することができる。
【００３３】
図２は、本発明の第２の実施の形態である雑音抑制回路を示す回路図である。この図２の雑音抑制回路は、雑音抽出手段として、コモンモードチョークコイル７（前述の第２のコモンモードチョークコイルに相当。）並びに差動増幅器５および位相調整回路６を有する。雑音印加手段は、図１の実施の形態と同じく、コモンモードチョークコイル１（前述の第１のコモンモードチョークコイルに相当。）でなる。コモンモードチョークコイル７は、コモンモードチョークコイル１と負荷回路３との間の入力ライン１Ｌ及び１Ｎにそれぞれ直列に挿入され、共通の磁心７ｄにそれぞれ巻かれたライン直列巻線７ａおよび７ｂ、並びに共通の磁心７ｄに巻かれ、２つの端子が差動増幅器５の２つの入力端子にそれぞれ接続されている別巻線７ｃを有してなる。
【００３４】
図２の雑音抑制回路は、負荷回路３の入力側の入力ライン１Ｌ及び１Ｎに乗っているコモンモードノイズを取り出す手段として、図１の雑音抑制回路におけるラインバイパスコンデンサ２，４に代えて、コモンモードチョークコイル７を用いている。図２の雑音抑制回路におけるその他の構成は、図１の雑音抑制回路と同様である。
【００３５】
負荷回路３の出力ライン２Ｌ，２Ｎを入力ライン１Ｌ，１Ｎから高いインピーダンスで分離することが好ましい。出力ライン２Ｌ，２Ｎを入力ライン１Ｌ，１Ｎとは高いインピーダンスで分離しておけば、例え、入力ライン１Ｌ，１Ｎに異常電圧が加わったときも、出力ライン２Ｌ，２Ｎにその異常電圧が加わるのを防ぐことができるし、或いは、そのように入出力ラインが高インピーダンスで分離されておれば、例え、出力ライン２Ｌ，２Ｎに異常電圧が加わったときも、入力ライン１Ｌ，１Ｎにその異常電圧が加わるのを防ぐことができ、安全性に優れるからである。図２の雑音抑制回路では、負荷回路３の入力側の回路（コモンモードチョークコイル７）だけでコモンモードノイズを取り出す手段を構成しているので、負荷回路３の入出力ラインが負荷回路３の高インピーダンスで分離されたままであり、負荷回路３の出力ライン２Ｌ，２Ｎ又は入力ライン１Ｌ，１Ｎにおける安全性が維持される。他方、図１の雑音抑制回路では、負荷回路３の出力側に設けたラインバイパスコンデンサ４を、入力側のラインバイパスコンデンサ２とを差動増幅器５の入力端に接続しているので、負荷回路３の入出力端間のインピーダンスが高い場合でも、負荷回路３の入出力ライン間は高インピーダンスは維持できない。
【００３６】
図３は、本発明の第３の実施の形態である雑音抑制回路を示す回路図である。この図３の雑音抑制回路では、雑音抽出手段として、差動増幅器５並びに、コモンモードチョークコイル１（前述の第１のコモンモードチョークコイルに相当。）と負荷回路３との間の入力ラインに、順次に設けられたラインバイパスコンデンサ２（前述の第３のラインバイパスコンデンサに相当。）、コモンモードチョークコイル９（前述の第３のコモンモードチョークコイルに相当。）及びラインバイパスコンデンサ１０（前述の第４のラインバイパスコンデンサに相当。）を有してなる。
【００３７】
ラインバイパスコンデンサ２は、入力ラインの線路間に直列に接続された同容量のコンデンサＣ１及びＣ２でなり、これらコンデンサの接続点である中点を第３の出力端子２ａとしている。ラインバイパスコンデンサ１０は、入力ラインの線路間に直列に接続された同容量のコンデンサＣ１及びＣ２でなり、これらコンデンサの接続点である中点を第４の出力端子１０ａとしている。コモンモードチョークコイル９は、ラインバイパスコンデンサ２及び１０間の入力ラインにそれぞれ直列に挿入され、共通の磁心９ｄにそれぞれ巻かれたライン直列巻線９ａ及び９ｂでなる。差動増幅器５は、第３の出力端子２ａおよび第４の出力端子１０ａに２つの入力端子がそれぞれ接続され、出力端子がコモンモードチョークコイル１における別巻線１ｃの片端に、位相調整回路６を介して接続されている。
【００３８】
図３の雑音抑制回路では、負荷回路３の入力側の入力ライン１Ｌ及び１Ｎに乗っているコモンモードノイズを取り出す手段として、図１の雑音抑制回路におけるラインバイパスコンデンサ４に代えて、コモンモードチョークコイル９及びラインバイパスコンデンサ１０を用いている。図３の雑音抑制回路におけるその他の構成は、図１の雑音抑制回路と同様である。
【００３９】
図３の雑音抑制回路では、負荷回路３の入力側の回路（ラインバイパスコンデンサ２、コモンモードチョークコイル９及びラインバイパスコンデンサ１０）だけでコモンモードノイズを取り出す手段を構成しているので、負荷回路３の入出力ラインが負荷回路３の高インピーダンスで分離されたままであり、負荷回路３の出力ライン２Ｌ，２Ｎおよび入力ライン１Ｌ，１Ｎにおける安全性が維持されることは、図２の雑音抑制回路と同様である。
【００４０】
図４は、本発明の第４の実施の形態である雑音抑制回路を示す回路図である。この図４の雑音抑制回路では、雑音印加手段として、ラインバイパスコンデンサ１１（前述の第５のラインバイパスコンデンサに相当。）を用いている。ラインバイパスコンデンサ１１は、入力ラインの線路間に直列に接続された同容量のコンデンサＣ１，Ｃ２でなり、これらコンデンサの接続点である中点を、以下に述べる雑音抽出手段で抽出したコモンモードノイズの入力端（前述の雑音信号の入力端に相当。）とする。
【００４１】
この図４の雑音抑制回路における雑音抽出手段は、コモンモードチョークコイル１２（前述の第４のコモンモードチョークコイルに相当。）と、ラインバイパスコンデンサ２（前述の第６のラインバイパスコンデンサに相当。）と、ラインバイパスコンデンサ４（前述の第７のラインバイパスコンデンサに相当。）と、差動増幅器５と、位相調整回路６とでなる。
【００４２】
図４の雑音抑制回路において、コモンモードチョークコイル１２は、ラインバイパスコンデンサ１１の出力側の入力ラインにそれぞれ直列に挿入され、共通の磁心１ｄにそれぞれ巻かれたライン直列巻線１ａおよび１ｂでなる。ラインバイパスコンデンサ２は、コモンモードチョークコイル１２と負荷回路３との間の入力ラインの線路間に直列に接続された同容量のコンデンサＣ１およびＣ２でなり、これらコンデンサの接続点である中点を第６の出力端子２ａとする。ラインバイパスコンデンサ４は、出力ライン２Ｌ及び２Ｎの間に直列に接続された同容量のコンデンサＣ３およびＣ４でなり、これらコンデンサの接続点である中点を第７の出力端子４ａとする。差動増幅器５は、第６の出力端子２ａおよび第７の出力端子４ａに２つの入力端子がそれぞれ接続され、出力端子がコモンモードノイズの入力端（前述の雑音信号の入力端に相当。）に接続されている。
【００４３】
図４の雑音抑制回路は、雑音印加手段として、図１の雑音抑制回路におけるコモンモードチョークコイル１に代えて、ラインバイパスコンデンサ１１を有している。更に、ラインバイパスコンデンサ１１とラインバイパスコンデンサ２との間に挿入されたコモンモードチョークコイル１２を備える。コモンモードチョークコイル１２は、コモンモードノイズに対し高いインピーダンスを示し、ラインバイパスコンデンサ１１とラインバイパスコンデンサ２とをインピーダンスで分離し、ラインバイパスコンデンサ２によるコモンモードノイズの取り出しを可能にしている。
【００４４】
図４に示した雑音抑制回路は、雑音印加手段をラインバイパスコンデンサ１１で構成しているので、接地（グランド）を要しない。したがって、図４の雑音抑制回路は、回路構成が簡単になり、接地（グランド）を得られない可搬型機器等にも有効であるという利点を有する。
【００４５】
図５は、本発明の第５の実施の形態である雑音抑制回路を示す回路図である。この図５の雑音抑制回路では、図４の雑音抑制回路におけるラインバイパスコンデンサ２とラインバイパスコンデンサ４とでなるコモンモードノイズ取り出し手段に代えて、コモンモードチョークコイル７（前述の第６のコモンモードチョークコイルに相当。）を有してなる。コモンモードチョークコイル７は、図２に示したものと同様な構成である。
【００４６】
図５の雑音抑制回路では、負荷回路３の入力側の回路（ラインバイパスコンデンサ１１、コモンモードチョークコイル１２及びコモンモードチョークコイル７）だけでコモンモードノイズを取り出す手段を構成しているので、負荷回路３の入出力ラインが負荷回路３の高インピーダンスで分離されたままであり、負荷回路３の出力ライン２Ｌ，２Ｎおよび入力ライン１Ｌ，１Ｎにおける安全性が維持されることは、図２や図３の雑音抑制回路と同様である。
【００４７】
図５に示した雑音抑制回路は、雑音印加手段をラインバイパスコンデンサ１１で構成しているので、接地（グランド）を要しない。したがって、図５の雑音抑制回路は、回路構成が簡単になり、接地（グランド）を得られない可搬型機器等にも有効であるという利点を有する。
【００４８】
図６は、本発明の第６の実施の形態である雑音抑制回路を示す回路図である。この図６の雑音抑制回路では、図５の雑音抑制回路におけるコモンモードチョークコイル７に代えて、図３におけると同様な回路構成のコモンモードノイズ取り出し手段を有してなる。この図６の雑音抑制回路におけるコモンモードノイズ取り出し手段は、ラインバイパスコンデンサ８（前述の第８のラインバイパスコンデンサに相当。）と、コモンモードチョークコイル９（前述の第８のコモンモードチョークコイルに相当。）と、ラインバイパスコンデンサ１０（前述の第９のラインバイパスコンデンサに相当。）とを有してなる。
【００４９】
図６の雑音抑制回路では、負荷回路３の入力側の回路（ラインバイパスコンデンサ８、コモンモードチョークコイル９及びラインバイパスコンデンサ１０）だけでコモンモードノイズを取り出す手段を構成しているので、負荷回路３の入出力ラインが負荷回路３の高インピーダンスで分離されたままであり、負荷回路３の出力ライン２Ｌ，２Ｎおよび入力ライン１Ｌ，１Ｎにおける安全性が維持されることは、図２、図３及び図５の雑音抑制回路と同様である。
【００５０】
図６に示した雑音抑制回路は、雑音印加手段をラインバイパスコンデンサ１１で構成しているので、接地（グランド）を要しない。したがって、図６の雑音抑制回路は、回路構成が簡単になるという利点を有する。
【００５１】
以上に図１乃至図６にそれぞれ回路図で示した第１乃至第６の実施の形態の雑音抑制回路は、雑音抽出手段および雑音印加手段でなる。先に、図１の第１の実施の形態について述べたところと同様に、図２乃至図６の雑音抑制回路における雑音抽出手段および雑音印加手段も、入力ライン１Ｌ及び１Ｎに関して平衡した回路、即ち平衡回路であり、同様に、出力ライン２Ｌ及び２Ｎに関しても平衡した回路（平衡回路）である。したがって、雑音抽出手段は、入力ライン１Ｌ及び１Ｎに乗っているコモンモードノイズを正しく抽出できると供に、他方、入力ライン１Ｌ及び１Ｎに乗っているノーマルノイズは抽出しない。したがって、雑音抽出手段で抽出し、雑音印加手段に加えるコモンモードノイズはノーマルノイズ成分を実質上含まない。このように、図１乃至図６の雑音抑制回路における雑音抽出手段は、ノーマルモードノイズ含有率の低いコモンモードノイズを取り出すことができる。そこで、図１乃至図６にそれぞれ示した第１乃至第６の実施形態の雑音抑制回路では、雑音印加手段において、入力ライン１Ｌ及び１Ｎに乗っているコモンモードノイズを高い度合いで抑制できる。
【００５２】
以上に図面を参照して説明した本発明の実施の形態のうち、図１，３，４，６に示したラインバイパスコンデンサを使用したコモンモードノイズ取り出し手段では、ラインバイパスコンデンサの平衡度を上げるほどノーマルモードノイズ含有率の低いコモンモードノイズを取り出すことができる。他方、図２，図５に示した第三巻線付きのコモンモードチョークコイルを利用したコモンモードノイズ取り出し手段では、各巻線の結合度を高くするほどノーマルモードノイズ含有率の低いコモンモードノイズを取り出すことができる。このように、本発明の各実施の形態では、ノーマルモードノイズ含有率の低いコモンモードノイズを取り出すことができるので、ノーマルモードノイズのレベルが低い、即ち雑音抑制効果の高い、雑音抑制回路を容易に実現できる。
【００５３】
上述の実施の形態では、直流または交流の２線給電方式を例として説明した。しかしながら、本発明は、２線給電方式に限られず、三相交流給電方式にも適用できる。三相交流でＹ結線の場合はラインバイパスコンデンサ中点の変わりにＹ結線中点を利用でき、Δ結線の場合はコンデンサを３つ使用して各相へＹの字に接続した中点も利用できる。また、三相交流用コモンモードチョークコイルに第４巻線を設けて利用することも可能である。  
【００５４】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５５】
１，７，９，１２      コモンモードチョークコイル
２，４，８，１０，１１      ラインバイパスコンデンサ
３      負荷回路
５    差動増幅器
６      位相調整回路
１Ｌ，１Ｎ      入力ライン
２Ｌ，２Ｎ      出力ライン
１ａ，１ｂ，７ａ，７ｂ，９ａ，９ｂ      ライン直列巻線
１ｃ，７ｃ      第３巻線
１ｄ，７ｄ，９ｄ      磁心
２ａ，４ａ，８ａ，１０ａ，１１ａ      ラインバイパスコンデンサの出力端子（中点）
【図１】
0005754779.tif 000002
【図２】
0005754779.tif 000003
【図３】
0005754779.tif 000004
【図４】
0005754779.tif 000005
【図５】
0005754779.tif 000006
【図６】
0005754779.tif 000007